(57)【要約】【課題】（１）テレビ・ゲーム機・ＰＣ等制限対象電化・電波製品を計画的に時間管理する。（２）安易にはずれない電気プラグと狭小スペースでの電気プラグを接続をする。【解決手段】（１）個人鍵（携帯電話・カード・キーボード等入力によるＩＤ，ＰＡＳＳ等電子鍵も可能）を使用する事により個人を特定し、個人毎にテレビ・ゲーム機・ＰＣ等制限対象電化・電波製品等の複数の使用時間管理を行う。（２）テレビ・ゲーム機・ＰＣ等制限対象電化製品の使用時間管理を行うために、電気プラグを本発明及びプラグ型子機コンセント内の差込刃固定棒にて連結・固定する事により、安易にプラグとコンセントを外す事ができないようにする。（３）本発明及びプラグ型子機を使用するにあたり、電気プラグ内の延長コードを使用（図１・３参照）すれば、他電化製品プラグ挿入の為に狭小ぎみなソケットスペースでも容易に電気プラグを差し込む事ができる。【選択図】図１
2009172345.tif 000002
【特許請求の範囲】
【請求項１】
個人鍵（携帯電話・カード・キーボード等入力によるＩＤ，ＰＡＳＳ等電子鍵も可能）を使用する事により個人を特定し、個人毎にテレビ・ゲーム機・ＰＣ等制限対象電化・電波製品等の複数の使用時間管理を行う制御装置。
【請求項２】
テレビ・ゲーム機・ＰＣ等制限対象電化製品の使用時間管理を適切に行う為に、安易にプラグとコンセントを外す事ができない電気プラグのしくみ。
【請求項３】
本発明及びプラグ型子機を使用するにあたり、電気プラグ内の延長コードを使用（図３参照）して、狭小ぎみなソケットスペースでも容易に電気プラグを差し込む事ができる電気プラグのしくみ。
【発明の詳細な説明】
【技術分野】
【０００１】  本発明は個人鍵による個人毎の複数に及ぶ電化・電波製品等の利用時間制限と電気プラグの固定方法とソケットへのプラグ延長差込方法
【背景技術】
【０００２】  現在「テレビやゲーム機・ＰＣ等制限対象電化・電波製品等（以後、制限対象機器とよぶ）」における個人毎の利用制限を行う為の機器はない。【０００３】  電気プラグはその性質上コンセントから容易に抜き挿しできる形状になっている。【０００４】  ソケットの限られたスペース上に複数の大小さまざまな形状をしたコンセントが配置されているが約束事はない。
【発明の開示】
【発明が解決しようとする課題】
【０００５】  現代社会において、「テレビやゲーム機」に代表される制限対象機器は我々現代の日常生活においては切っても切れない必需品となっているが、人々はその便利さと楽しさの魅力に翻弄され、ついダラダラと予定時間を過ぎてもそれを利用しがちである。
その結果あらかじめ決めておいた１日のスケジュールをなしくずし的に崩壊させてしまい、だらしない日常生活を過ごしてしまう弊害が派生している。【０００６】  保護者は自分の子供達が友人達と仲良くなる為の道具・話題・ツールとして制限対象機器を子供に与えて使用させてあげたいと思う。
しかし２４時間にわたって、保護者が子供達に付き添い、監視し続ける事は不可能である。
保護者が監視できない環境下において子供達が自由気ままに制限対象機器を使用する事は子供のスケジュール管理面において保護者として大変不安である。【０００７】  子供に家の手伝いをさせたり、勉強で良い成績を得た時等の褒美としてお金を与える事は「子供に必要以上のお金を与えすぎない。」という教育的な事を考慮した場合、子供に与えた褒美がかえって子供の無駄遣いや浪費癖を助長させる要因となり、保護者の我子を思う気持ちがかえって仇になりかねない危険性がある。【０００８】  テレビを鑑賞したりゲームをする事は楽しいが、「楽しい」という快楽に無限にはまりこむ事は子供の環境衛生上・教育上正しくない。快楽の有限性の証として自分が楽しむ為には「それに見合った社会的働きをしなければならない」という社会心を学ぶ必要がある。【０００９】  思春期の反発心やひきこもり等の要因によって家族とのコミュニケーションを取らなくなり、自室においてひとりで制限対象機器を使用する子供・青年が増えている社会問題がある。
【課題を解決するための手段】
【００１０】  制限対象機器に本発明品を強制連結して使用する事により、制限対象機器の使用時間制限を容易に行うことで自己管理が可能となる。（０００５より）【００１１】  保護者が子供達を目の前で直接監視していなくても、本発明を使用する事により、制限対象機器の使用制限を個人毎に行う事が可能となる。（０００６より）【００１２】  保護者が子供達にお金ではなく「自由に遊ぶ時間」を褒美として与える事と同時に罰則においても同様に「自由に遊ぶ時間」の没収も可能となり、社会での「お金」と同様に家庭内ルール（家庭内通貨）を構築する一助となる。（０００７より）【００１３】  家族の手伝いをしたり、勉強や運動そして社会活動等を行う励みとして具体的な目先の目標を本発明を通じて子供達に示す事ができるのと同時に、自分が「楽しみたい」のならば、それに見合った社会的働きをしなければいけないと言う義務・社会ルールを本発明を通じて学ばせる事ができる。（０００８より）【００１４】  本発明をとおして、制限対象機器に対して使用制限が行われる為に家族間コミュニケーションが必要不可欠な家庭環境を必然的に生み出す事ができる。（０００９より）
【発明の効果】
【００１５】  本発明をとおして制限対象機器の使用制限を強制的・機械的に行う事により、自己管理意思の弱い人間であっても安易に制限対象機器の時間管理を行う事ができる。
結果的に規則正しい日常生活をおくる事ができる。（０００２より）【００１６】  家電品電気プラグを本機・本発明プラグ型子機に差込刃固定棒にて連結する事により、安易・不当に電気プラグをコンセントから外す事ができないようになる。
もし安易にプラグを抜く事ができると、不正に本発明の制限を回避できる事になるので、１度セッティングした機器が安易に取り外し出来ない事は適正に制御を行うために不可欠である。（０００３より）【００１７】  本発明品であるプラグは差込刃部分だけを延長して差し込めれば、例え隣に差込まれている他電気機器プラグにより、本差込刃上部が占有されていた場合でも、通常コンセントに差し込む事ができる。（図４参照）
よって「コンセントを差し込むスペースがないから本機を使用できない」と言う回避理由付けはできず、今まで制限対象機器が差し込んでいたコンセントスペースに必ず本機を差込んで使用する事ができる。（０００４より）
【発明を実施するための最良の形態】
【００１８】（準備）
（１）制限対象機器電源プラグ（もしくは電波・信号等ケーブル等）を本機・本発明プラグ型子機に固定する。もしくは本機からＦＭ波・赤外線等の操作可能範囲内に設置する。
（２）各制限対象機器毎に固有番号を固定個別指定して以後の機器番号として管理に使用する。また機器毎に時間帯・連続使用時間・繰越時間限度等の使用条件が必要ならば設定する。【００１９】（登録）
（３）個人特定をする為に管理人キーと管理される使用者キーの２名ぶんをキー差込（図１−１３、１４）にいれる。もしくはテンキー・携帯・カード等により登録する。
（４）管理人の「ＩＤ・ＰＡＳＳのテンキーによる入力」等により、鍵以外に２重に本人確認を行った後、管理される使用者に対して、定期（日・週・月）・ボーナス（今回のみ）の選択後に制限対象機器毎（無視定も可納）に使用時間を分配して与える。
例）使用者３に対して、機器Ａに１０分、機器Ｂに２０分、機器Ａ＋機器Ｃに６０分、未指定に５０分をボーナス加算する。
（５）設定された使用時間等は本機及びキーに記憶される。【００２０】（日常的使用１：持ち時間制）
（６）使用者を特定する為に本機に使用者キー（テンキー・カード・携帯での電子キー等可能）をいれる。
複数にわたる機器制限が与えられている場合は、対象機器を選択する。
（図１：本説明ではキーによって操作するが、新たに各接続部分近くに押しボタン式の安易なスイッチを追加設置する事で機器選択が容易になる。）
この時点で本機から使用する対象機器へ通電・通信可能となる。
管理者キーの場合は時間無制限で使用可能である。
複数人による時間合併ができる。（複数の使用キーを統合して使用可能。）
複数の鍵が同時に差し込まれた場合のみ、消費分割設定を行う。（図１ではキー差込が２箇所だが増設も可能）
例）使用者Ａ：使用者Ｂ＝２：３の割合で時間消費
（７）使用者の持ち時間内で制限対象機器を使用する場合はそのまま使用する。（図５―例１）もしくは今回の使用にあたっての「使用時間（＊＊分間）」もしくは「終了時刻（図５―例３）」を決めて、その数字を本機に指定して使用する事が可能である。
（図１：本説明ではキーによって操作するが、上記使用方法３通り（無設定・使用時間決め・終了時刻決め）用の選択ボタン等を本機に新たに追加設置する事も可能）
（８）終了する時間前に予鈴・警告音を鳴らしてリザーブを行う時間の余裕を与えてから、使用を終了する。
（本機がゲーム機等とあらかじめ一体化製造した場合は自動セーブも可能である。）【００２１】  （日常的使用２：タイムスケジュール制）
（６）本機内蔵時計機能を利用した日時・曜日によるタイムスケジュール上で許可の受けた時間内であれば、自由に誰でもキーなしに制限対象機器を使用できる。
（７）更にキーを兼用して、「持ち時間制」との２重制限を行う事も出来る（図５―例５）【００２２】  持ち時間制（図５―例１）・タイムスケジュール制（図５―例５は兼用）等の使用以外にも、機器毎に使用終了時刻をあらかじめ限定して決めておいたり（図５−例２）、１日の使用限界時間を決めたり、連続使用時間制限（一旦電源を切っても内臓時計によって、不正は確認できる）も兼用制限可能である。
【産業上の利用可能性】
【００２３】  本発明をゲーム機等制限対象機器に最低限の必要部分を組み込む場合、表示はテレビ・モニター、テンキーはゲームコントローラー等既存の機能・部品で代用出来る為に本人確認をする為の鍵を差し込む部分（カード・携帯での電子キー等認識する部分含む）のみ増設すれば良く、最初から全部もしくは一部を組み込んで製造・発売する事が可能であり、単なる娯楽製品であったものが遊興用具という道具としてのセキュリティ機能を含めた社会的責務と地位を負う事となる。【００２４】  本発明による電気プラグ等技術は他電化製品にそのまま利用できる。【００２５】  将来の電気コンセントを使ってのインターネット回線接続にも本機がそのまま利用応用できる。【００２６】  本機機能を利用して複数の制限対象機器を連結した統合操作・ハブ使用が可能である。
【図面の簡単な説明】
【００２７】
【図１】本発明の基本図である。キー（１３、１４）もしくは電子キー（カード・携帯・３，４，５，６・１８等）により認識した対象人に対してＴＶゲーム機及び各種電気製品等の使用制限を電気制御（３，４，５，６）ＵＳＢによる制御（７，８）電波的制御（１０，１１）赤外線制御（１２）ＡＶケーブルでのスイッチングＯＮ／ＯＦＦ制御（１５）、ＦＭ等電波制御（１６）もしくは本子機よるスイッチングＯＮ／ＯＦＦ制御する。（本図では混乱を防ぐ為、携帯電話やカード情報読込機器は図式化していない）
【図２】本発明のプラグ型子機の内面図である。差込刃部分を延長せずに使用したものである。制限対象家電プラグを本発明プラグ型子機に接続しなくても、ＦＭ等電波や赤外線、ＵＳＢケーブル、本機への電気プラグやテレビアンテナの直接接続等によっても制御が可能である。本機を通さずに子機を使い、制御対象機器の電気プラグを差込み、差込刃固定棒（絶縁体）にて固定することにより、電気的  ＯＮ・ＯＦＦスイッチング制御が可能である。一旦本機プラグ部分を開閉し、制限対象機器プラグを差込、差込刃固定棒にて固定した後は本プラグ部分を封鎖して、固定棒を安易にはずせない様にする。
【図３】本発明のプラグ型子機の使用外観図である。差込刃部分（差込刃以外は絶縁体）のみを伸ばした状態で、通常延長コードはプラグ型子機内に収納されている。支柱は差込刃を支柱分の長さで固定するためのもので、０〜複数本接続可能。本機・本子機の電気プラグの差込刃部分（付属品含む）を引出し・延長させる事により、狭小な電気ソケットにも本コンセントを接続可能にする。
【図４】本発明プラグ型子機を一般的な電気ソケットに差込んだ状態（右図）とそれ以前の状態（左図）の断面図である。左図は隣の他電化製品の大型電気プラグがソケットに挿入されており、この場合使用していない隣のソケットが使えない状態である。しかし右図の様にプラグ刃部分（付属品含む）のみを延長コードを使用する事で狭小なスペースでも本機・本子機の電気プラグ刃部分をソケットに差し込む事が可能となる。また、延長して使用する時に不安定になり使用しづらい場合は支柱（０〜複数本）を立てて固定する事が可能である。
【図５】例１  通常使用：与えられた持ち時間（持ち時間）内であれば自由に機器を使用できる。余った時間は翌日に持ち越せる。但し、繰越時間限度の上限をあらかじめ初期の「準備」の段階で決めている事は可能である。例２  連続使用制限：あらかじめ初期の「準備」の段階で機器毎に連続使用制限が与えられていると、持ち時間を残していても機器の連続使用制限が優先して発動されて、使用を終了させる。例３  終了時刻を決めて使用：使用者が終了時刻を指定しておけば、終了時刻が近づいたら警告後使用を終了させてくれる。例４  不連続使用：休憩等をしながら複数回に分けて使用しても、合計時間が使用時間となる。例５  タイムスケジュール制兼用：タイムスケジュール制はあらかじめ初期の「準備」の段階で、本機内蔵時計機能を利用した日時・曜日によるタイムスケジュール上で許可を与え、持ち時間制を兼用してもタイムスケジュールを優先して制限が加えられる。
【符号の説明】
【００２８】〔図１〕
１、電気コンセント  ｉｎ              ：本機を稼動させる為の電源
２、ヒューズ                          ：本機の保守用
３、電気コンセントｏｕｔ（ソケット）  ：電気コンセントを使い、電化製品の制限や個人認識等を行う。
子機と同じ様に内部の固定棒によりプラグを固定する事ができる。
電源によるインターネット接続とそれに伴う制御も対応可能である。
４、電気コンセントｏｕｔ（ソケット）  ：    同
５、電気コンセントｏｕｔ（ソケット）  ：    同
６、電気コンセントｏｕｔ（ソケット）  ：    同
７、ＵＳＢ                            ：ＵＳＢを使い、電化製品の使用制限や個人認識を行い、ＰＣと接続してのデーター交換や制御の一助を行う。
８、ＵＳＢ                            ：ＵＳＢを使い、電化製品の使用制限や個人認識を行い、ＰＣと接続してのデーター交換や制御の一助を行う。
９、ＡＶケーブルコネクター            ：ＡＶケーブルを接続して制御する。
１０、ＴＶアンテナ  ｉｎ              ：テレビ電波線を本器を経由する事により電波による使用制限を行う。
１１、ＴＶアンテナｏｕｔ              ：    同
１２、赤外線                          ：赤外線により各種電化製品の確認やキー識別にも使用。
１３、キー差込                        ：キーを差込む事により、個人識別する。
１４、キー差込                        ：    同              （増設可）
１５、スピーカー                      ：スピーカー音によって時間（事前・限界）を知らせる。
１６、アンテナ                        ：ＦＭ等無線を使用して各種電化製品を制御する。
１７、表示                            ：時間や使用者・作業状況等を表示する。
表示例）使用者▲３▼から２０分減算し、合計３２０分  （機器指定はなし）
１８、テンキー                        ：各種設定に使用する。キーを差し込まなくてもＩＤ・ＰＳＳ等により個人識別可能である。
〔図２〕
１９、絶縁体                          ：コンセント受け（２０）と（２４）万が一の場合でも通電・漏電しないように絶縁する。
２０、コンセント受け（ソケット）      ：制御対象機器の電気プラグを差し込む
２１、差込刃固定棒                    ：制御対象機器の電気プラグ部分の差込刃穴に固定の為の棒を差込む
２２、コード                          ：本機・本子機の電機プラグの差込刃部分を伸して使用する為プラグ内部に延長部分を収納
２３、スピーカー                      ：スピーカー音によって時間（事前・限界）を知らせる。
２４、コンセント受け（ソケット）      ：２０と同じ
２５、差込刃固定棒                    ：２１と同じ
２６、リモコンボックス                ：本機からの信号を受け、スイッチ操作する。
２７、スイッチ                        ：本機からの信号を受けたリモコンボックスにより操作される。
２８、プラグ  差込刃                  ：通常の電気コンセントに差し込む。延長する事が可能（図３・図４参照）
〔図３〕
２２、延長コード                      ：図２の（２２）と同じもの（１本にまとめても、２本のままでも可）
２９、支柱（複数使用可能）            ：本機・本子機のプラグを伸ばして使用する時に安定させる為に使用する。０〜複数本使用可能
２８、プラグ  差込刃                  ：本機・本子機のプラグ。通常コンセントに差込み使用。
【図１】
2009172345.tif 000003
【図２】
2009172345.tif 000004
【図３】
2009172345.tif 000005
【図４】
2009172345.tif 000006
【図５】
2009172345.tif 000007